(57)【要約】【課題】電気コネクタとそれが実装される基板とを含む構造の薄型化を図り、電気コネクタの操作時の電気コネクタ及び基板の厚み方向の力の発生を抑制する。【解決手段】電気コネクタ２は、基板３の切欠き部３ａに配置されて基板３に実装され、相手側接続部材１００が接続される。電気コネクタ２は、端子１１、ハウジング１２、固定部１５、バネ部２４及び係合部２５を有する脱落阻止部１６、スライダ１４を備える。バネ部２４は、ハウジング１２に挿入された相手側接続部材１００の端部１００ａと当接して弾性変形し、係合部２５は、バネ部２４の弾性回復時に相手側接続部材１００に係合する。スライダ１４は、相手側接続部材１００の端部１００ａのハウジング１２への挿入方向と平行な方向に沿ってハウジング１２にスライド移動して脱落阻止部１６に当接し、バネ部２４を弾性変形させ、相手側接続部材１００と係合部２５との係合を解除する。【選択図】        図１
2018078069.tif 000002
【特許請求の範囲】
【請求項１】
基板の縁部に設けられた切欠き部に配置されるとともに前記基板の実装部に対して前記切欠き部の周囲で実装され、相手側接続部材が電気的に接続される電気コネクタであって、
前記相手側接続部材に電気的に接続される端子と、
前記端子を保持するとともに、前記相手側接続部材の端部が挿入されるハウジングと、
前記ハウジングを前記基板の前記実装部に固定する固定部と、
前記ハウジングに挿入された前記相手側接続部材の端部と当接して弾性変形するバネ部、及び、前記バネ部が弾性回復した際に前記相手側接続部材に係合する係合部、を有し、前記係合部の前記相手側接続部材への係合により前記相手側接続部材の前記ハウジングからの脱落を阻止する脱落阻止部と、
前記相手側接続部材の端部が前記ハウジングに挿入される方向と平行な方向に沿ってスライド移動自在に前記ハウジングに取り付けられ、前記ハウジングに対してスライド移動して前記脱落阻止部に当接することで、前記バネ部を弾性変形させ、前記相手側接続部材と前記係合部との係合を解除するスライダと、
を備えていることを特徴とする、電気コネクタ。
【請求項２】
請求項１に記載の電気コネクタであって、
前記固定部と前記脱落阻止部とは、一体の部材として設けられていることを特徴とする、電気コネクタ。
【請求項３】
請求項１又は請求項２に記載の電気コネクタであって、
前記固定部は、前記ハウジングの一部を当該ハウジングの厚み方向に挟み込んだ状態で当該ハウジングに係合していることで当該固定部を当該ハウジングに固定する固定爪部、を有していることを特徴とする、電気コネクタ。
【請求項４】
請求項１乃至請求項３のいずれか１項に記載の電気コネクタであって、
前記スライダは、前記ハウジングに対して、前記相手側接続部材の端部が前記ハウジングに挿入される方向と逆向きに平行な方向に沿ってスライド移動して、前記脱落阻止部に当接することで、前記バネ部を弾性変形させ、前記相手側接続部材と前記係合部との係合を解除することを特徴とする、電気コネクタ。
【請求項５】
請求項１乃至請求項４のいずれか１項に記載の電気コネクタであって、
前記脱落阻止部及び前記スライダは、前記ハウジングに対して、当該ハウジングの幅方向の両側に取り付けられていることを特徴とする、電気コネクタ。
【請求項６】
請求項１乃至請求項５のいずれか１項に記載の電気コネクタであって、
前記脱落阻止部には、前記相手側接続部材の端部が当接する第１当接部と、前記スライダが当接する第２当接部とが設けられ、
前記第２当接部は、前記第１当接部に対して、前記ハウジングの幅方向と平行な方向においてずれた位置に設けられ、
前記第１当接部は、前記脱落阻止部にて、前記相手側接続部材の端部が前記ハウジングに挿入される方向である挿入方向と平行な方向において、前記相手側接続部材の端部が前記ハウジングに挿入される側に設けられ、
前記第２当接部は、前記脱落阻止部にて、前記第１当接部に対して、前記挿入方向と平行な方向において、前記相手側接続部材の端部が前記ハウジングに挿入される側と反対側に設けられていることを特徴とする、電気コネクタ。
【請求項７】
請求項１乃至請求項６のいずれか１項に記載の電気コネクタであって、
前記バネ部は、前記固定部及び前記ハウジングの少なくともいずれかに対して片持ち状に支持されるとともに前記ハウジングの幅方向と平行な方向に沿って片持ち状に延びる片持ちバネ部分を有していることを特徴とする、電気コネクタ。
【請求項８】
請求項１乃至請求項７のいずれか１項に記載の電気コネクタと、前記電気コネクタが実装された基板と、を備え、
前記基板は、当該基板の縁部に設けられて前記電気コネクタが配置された切欠き部と、前記電気コネクタが実装された実装部と、が設けられていることを特徴とする、電気コネクタ付基板。
【発明の詳細な説明】
【技術分野】
【０００１】
本発明は、基板に実装されるとともに相手側接続部材に電気的に接続される電気コネクタ、及び、その電気コネクタを備える電気コネクタ付基板、に関する。
【背景技術】
【０００２】
基板に実装されるとともに相手側接続部材に電気的に接続される電気コネクタとして、特許文献１に開示された電気コネクタが知られている。特許文献１に開示された電気コネクタには、端子を保持するハウジングの幅方向の両側の縁寄りの部分に配置されたロック部材が設けられている。
【０００３】
ロック部材には、ハウジングに挿入される相手側接続部材の端部を着脱可能に係止するロック部が設けられている。また、ロック部材には、弾性を有する略帯状の板材をＪ字状に折り曲げて形成された支持部及びロックアーム部、ロックアーム部の先端側に形成された略楔形状のロック部、等が一体に設けられている。支持部とロックアーム部との間にはＵ字状に湾曲した弾性部が形成されている。また、ロック部材には、押圧操作されるとロック部材が弾性変形してロック部が相手側接続部材から離脱するように構成された解除部が設けられている。
【０００４】
また、基板に実装されるとともに相手側接続部材に電気的に接続される電気コネクタとして、特許文献２に開示された電気コネクタも知られている。特許文献２に開示された電気コネクタは、基板の縁部に設けられた切欠き部に配置されるとともに基板の実装部に対して切欠き部の周囲で実装され、相手側接続部材が電気的に接続される電気コネクタとして構成されている。
【０００５】
特許文献２に開示された電気コネクタには、端子を保持するハウジングに対して揺動可能に設けられ、ハウジングに対して開位置及び閉位置に変位可能なアクチュエータが設けられている。電気コネクタに接続された相手側接続部材は、相手側接続部材の端部がハウジングの抜け止め部に係合した状態で、アクチュエータがハウジングに対して閉位置に位置することで、電気コネクタからの脱落が阻止される。そして、電気コネクタと相手側接続部材との接続が解除されて相手側接続部材がハウジングから抜き出される際には、アクチュエータが閉位置から開位置へと変位する操作が行われる。
【０００６】
尚、特許文献１、特許文献２に開示された電気コネクタに接続される相手側接続部材は、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）などのフレキシブル接続部材として構成される。
【先行技術文献】
【特許文献】
【０００７】
【特許文献１】特開２０１３−２２２６２４号公報
【特許文献２】特許第５９０９５８６号明細書
【発明の概要】
【発明が解決しようとする課題】
【０００８】
ところで、基板に実装される電気コネクタは、例えば、液晶テレビの筐体内など、厚みの小さい空間（薄い空間）に配置される場合がある。このような場合、電気コネクタとこの電気コネクタが実装される基板とを含む構造は、より薄い形状であることが要請される。
【０００９】
上記の実情に対し、特許文献１に開示された電気コネクタは、ハウジングに挿入される相手側接続部材の端部を係止するロック部が設けられたロック部材として、電気コネクタの厚みを増大させる構造のロック部材が設けられている。即ち、特許文献１のコネクタには、略帯状の板材をＪ字状に折り曲げて形成された支持部及びロックアーム部、ロックアーム部の先端のロック部、支持部とロックアーム部との間のＵ字状に湾曲した弾性部が、一体に設けられたロック部材が備えられている。このため、電気コネクタの厚みが増大してしまい、電気コネクタとそれが実装される基板とを含む構造の薄型化を図ることが困難である。
【００１０】
一方、特許文献２に開示された電気コネクタは、基板の切欠き部に配置された状態で基板の実装部に対して切欠き部の周囲で実装される電気コネクタとして構成されている。より具体的には、特許文献２の電気コネクタは、ハウジングが基板に対して直接に支持されておらず、ハウジングが基板の切欠き部に配置されている。そして、ハウジングが、補強タブを介して、基板に固定されている。
【００１１】
特許文献２に開示された上記の構成によると、基板に実装される電気コネクタが基板の縁部に設けられた切欠き部に配置される。このため、基板に電気コネクタを実装した際に、基板の縁部から基板の面方向に電気コネクタが過大に突出した構造となることがなく、且つ、基板と電気コネクタとが厚み方向に重なってしまう構造となることも防止できる。これにより、電気コネクタとそれが実装される基板とを含む構造の薄型化を図ることができる。
【００１２】
しかしながら、特許文献２に開示された電気コネクタにおいては、電気コネクタに対して相手側接続部材を接続する際、及び、電気コネクタに接続された相手側接続部材を電気コネクタから取り外す際に、アクチュエータを揺動させる操作が必要となる。より具体的には、特許文献２の電気コネクタにおいては、ハウジングに対して開位置と閉位置との間で揺動可能に設けられたアクチュエータをハウジングに対して揺動させる操作が必要となる。
【００１３】
上記のようにアクチュエータの操作が行われる際には、基板に実装された電気コネクタにおいて、アクチュエータからハウジングに対して、電気コネクタ及び基板の厚み方向の力が作用することになる。一方、電気コネクタは、基板の切欠き部に配置された状態で基板に実装されている。このため、電気コネクタ及び基板の厚み方向の力が作用すると、電気コネクタを基板に固定する構造部分に、その力が集中的に作用し易くなってしまう。これにより、電気コネクタを基板に固定する構造部分に過大な力が作用し、電気コネクタの破損、或いは、電気コネクタの基板からの脱落を招いてしまう虞がある。
【００１４】
尚、特許文献１に開示された電気コネクタは、そのロック部材において、押圧操作されるとロック部材が弾性変形してロック部が相手側接続部材から離脱するように構成された解除部が設けられている。このため、解除部の操作が行われると、電気コネクタ及び基板の厚み方向に大きな力が作用することになる。よって、特許文献１の電気コネクタは、基板の切欠き部に配置された状態で基板の実装部に対して切欠き部の周囲で実装される電気コネクタとして用いられた場合であっても、電気コネクタの操作時に電気コネクタ及び基板の厚み方向に大きな力を作用させてしまう構造となる。
【００１５】
本発明は、上記実情に鑑みることにより、電気コネクタとそれが実装される基板とを含む構造の薄型化を図ることができるとともに、基板に実装された状態の電気コネクタの操作時の電気コネクタ及び基板の厚み方向の力の発生を抑制することができる、電気コネクタを提供することを目的とする。更に、その電気コネクタを備える電気コネクタ付基板を提供することを目的とする。
【課題を解決するための手段】
【００１６】
（１）上記目的を達成するための本発明のある局面に係る電気コネクタは、基板の縁部に設けられた切欠き部に配置されるとともに前記基板の実装部に対して前記切欠き部の周囲で実装され、相手側接続部材が電気的に接続される電気コネクタであって、前記相手側接続部材に電気的に接続される端子と、前記端子を保持するとともに、前記相手側接続部材の端部が挿入されるハウジングと、前記ハウジングを前記基板の前記実装部に固定する固定部と、前記ハウジングに挿入された前記相手側接続部材の端部と当接して弾性変形するバネ部、及び、前記バネ部が弾性回復した際に前記相手側接続部材に係合する係合部、を有し、前記係合部の前記相手側接続部材への係合により前記相手側接続部材の前記ハウジングからの脱落を阻止する脱落阻止部と、前記相手側接続部材の端部が前記ハウジングに挿入される方向と平行な方向に沿ってスライド移動自在に前記ハウジングに取り付けられ、前記ハウジングに対してスライド移動して前記脱落阻止部に当接することで、前記バネ部を弾性変形させ、前記相手側接続部材と前記係合部との係合を解除するスライダと、を備えている。
【００１７】
この構成によると、電気コネクタは、基板の縁部の切欠き部に配置された状態で基板の実装部に対して切欠き部の周囲で実装される。これにより、電気コネクタとそれが実装される基板とを含む構造の薄型化を図ることができる。
【００１８】
また、上記の構成によると、基板に実装された電気コネクタに相手側接続部材が接続される際には、相手側接続部材の端部がハウジングに挿入される。そして、一旦バネ部が弾性変形した後に弾性回復して係合部が相手側接続部材に係合し、相手側接続部材のハウジングからの脱落が阻止される。更に、ハウジングに挿入された相手側接続部材と端子とが電気的に接続される。このように、電気コネクタと相手側接続部材との接続操作が行われる。このため、電気コネクタと相手側接続部材との接続操作の際に電気コネクタ及び基板の厚み方向の力が作用することが抑制される。
【００１９】
また、上記の構成によると、基板に実装された電気コネクタから相手側接続部材を取り外す際には、相手側接続部材の端部がハウジングに挿入される方向と平行な方向に沿ってスライダがスライド移動される。そして、スライダが脱落阻止部に当接し、バネ部が弾性変形して相手側接続部材と係合部との係合が解除される。この状態で、相手側接続部材がハウジングから抜き出される。このように、電気コネクタと相手側接続部材との接続を解除して、電気コネクタから相手側接続部材を取り外す操作が行われる。このため、電気コネクタから相手側接続部材を取り外す操作の際に電気コネクタ及び基板の厚み方向の力が作用することが抑制される。
【００２０】
従って、上記の構成によると、基板に実装された状態の電気コネクタの操作時の電気コネクタ及び基板の厚み方向の力の発生を抑制することができる。このため、電気コネクタを基板に固定する構造部分である固定部に、電気コネクタ及び基板の厚み方向の力が作用することが抑制される。よって、固定部に過大な力が作用することが防止され、電気コネクタの操作時に、電気コネクタが破損、或いは電気コネクタが基板から脱落してしまうことが防止される。
【００２１】
以上のように、上記の構成によると、電気コネクタとそれが実装される基板とを含む構造の薄型化を図ることができるとともに、基板に実装された状態の電気コネクタの操作時の電気コネクタ及び基板の厚み方向の力の発生を抑制することができる。
【００２２】
（２）前記固定部と前記脱落阻止部とは、一体の部材として設けられていてもよい。
【００２３】
この構成によると、固定部と脱落阻止部とが一体の部材として設けられるため、更に、構造の簡素化と部品点数の削減とを図ることができる。
【００２４】
（３）前記固定部は、前記ハウジングの一部を当該ハウジングの厚み方向に挟み込んだ状態で当該ハウジングに係合していることで当該固定部を当該ハウジングに固定する固定爪部、を有していてもよい。
【００２５】
この構成によると、固定部は、ハウジングを厚み方向に挟み込んで係合する固定爪部によって、ハウジングに固定される。このため、簡素な構造でより強固にハウジングに一体化された固定部を実現することができる。尚、固定爪部は、例えば、かしめ構造によって固定部をハウジングに固定してもよい。より具体的には、例えば、固定爪部がハウジングに設けられた貫通穴に挿通された後に、固定爪部の先端側が折り曲げ加工され、固定爪部がハウジングにかしめられることで、固定部がハウジングに固定されてもよい。
【００２６】
（４）前記スライダは、前記ハウジングに対して、前記相手側接続部材の端部が前記ハウジングに挿入される方向と逆向きに平行な方向に沿ってスライド移動して、前記脱落阻止部に当接することで、前記バネ部を弾性変形させ、前記相手側接続部材と前記係合部との係合を解除してもよい。
【００２７】
この構成によると、相手側接続部材と係合部との係合が解除される際、スライダは、ハウジングに対して、相手側接続部材のハウジングへの挿入方向と逆向きにスライド移動するように、操作される。このため、スライダの操作の際、スライダを操作するためのスペースが、ハウジングに挿入されている相手側接続部材によって制約を受けてしまうことが、抑制される。これにより、スライダの操作をより容易に行うことができる。
【００２８】
（５）前記脱落阻止部及び前記スライダは、前記ハウジングに対して、当該ハウジングの幅方向の両側に取り付けられていてもよい。
【００２９】
この構成によると、脱落阻止部及びスライダがハウジングの幅方向の両側に取り付けられている。このため、相手側接続部材をハウジングに対してより安定して保持することができるとともに、ハウジングから相手側接続部材を取り外す際の操作も容易に行うことができる。
【００３０】
（６）前記脱落阻止部には、前記相手側接続部材の端部が当接する第１当接部と、前記スライダが当接する第２当接部とが設けられ、前記第２当接部は、前記第１当接部に対して、前記ハウジングの幅方向と平行な方向においてずれた位置に設けられ、前記第１当接部は、前記脱落阻止部にて、前記相手側接続部材の端部が前記ハウジングに挿入される方向である挿入方向と平行な方向において、前記相手側接続部材の端部が前記ハウジングに挿入される側に設けられ、前記第２当接部は、前記脱落阻止部にて、前記第１当接部に対して、前記挿入方向と平行な方向において、前記相手側接続部材の端部が前記ハウジングに挿入される側と反対側に設けられていてもよい。
【００３１】
この構成によると、脱落阻止部において、第１当接部と第２当接部とが、ハウジングの幅方向と平行な方向でずれて配置される。そして、脱落阻止部において、第１当接部が、相手側接続部材がハウジングに挿入される側に配置され、第２当接部が、その反対側に配置される。このため、相手側接続部材をハウジングへ挿入する操作のためのスペースと、スライダの操作のためのスペースとが、互いに制約となることを防止できる構造を、容易に実現できるとともに、第１当接部と第２当接部とがコンパクトに配置された脱落阻止部の構造を実現することができる。
【００３２】
（７）前記バネ部は、前記固定部及び前記ハウジングの少なくともいずれかに対して片持ち状に支持されるとともに前記ハウジングの幅方向と平行な方向に沿って片持ち状に延びる片持ちバネ部分を有していてもよい。
【００３３】
この構成によると、脱落阻止部のバネ部が、ハウジングの幅方向と平行な方向に沿って片持ち状に延びる片持ちバネ部分を有して構成される。このため、ハウジングの幅方向に沿って薄く延びるバネ部の構造を容易に実現することができる。これにより、電気コネクタの薄型化を図ることができ、更に、電気コネクタとそれが実装される基板とを含む構造の更なる薄型化を図ることができる。
【００３４】
（８）前述の目的を達成するための本発明のある局面に係る電気コネクタ付基板は、前述の電気コネクタと、前記電気コネクタが実装された基板と、を備え、前記基板は、当該基板の縁部に設けられて前記電気コネクタが配置された切欠き部と、前記電気コネクタが実装された実装部と、を含んでいる。
【００３５】
この構成によると、本発明のある局面に係る電気コネクタと同様の効果を奏することができる。即ち、電気コネクタとそれが実装される基板とを含む構造の薄型化を図ることができるとともに、基板に実装された状態の電気コネクタの操作時の電気コネクタ及び基板の厚み方向の力の発生を抑制することができる。
【００３６】
（９）電気コネクタとそれが実装される基板とを含む構造の薄型化を図ることができる電気コネクタを提供することを目的として、他の観点の発明の電気コネクタを構成することができる。他の観点の発明のある局面に係る電気コネクタは、基板に実装されるとともに相手側接続部材に電気的に接続される電気コネクタであって、前記相手側接続部材に電気的に接続される端子と、前記端子を保持するとともに、前記相手側接続部材の端部が挿入されるハウジングと、前記ハウジングを前記基板に固定する固定部と、前記ハウジングに挿入された前記相手側接続部材の端部と当接して弾性変形するバネ部、及び、前記バネ部が弾性回復した際に前記相手側接続部材に係合する係合部、を有し、前記係合部の前記相手側接続部材への係合により前記相手側接続部材の前記ハウジングからの脱落を阻止する脱落阻止部と、を備え、前記バネ部は、前記固定部及び前記ハウジングの少なくともいずれかに対して片持ち状に支持されるとともに前記ハウジングの幅方向と平行な方向に沿って片持ち状に延びる片持ちバネ部分を有している。
【００３７】
この構成によると、脱落阻止部のバネ部が、ハウジングの幅方向と平行な方向に沿って片持ち状に延びる片持ちバネ部分を有して構成される。このため、ハウジングの幅方向に沿って薄く延びるバネ部の構造を容易に実現することができる。これにより、電気コネクタの薄型化を図ることができ、更に、電気コネクタとそれが実装される基板とを含む構造の更なる薄型化を図ることができる。
【００３８】
従って、上記の構成によると、電気コネクタとそれが実装される基板とを含む構造の薄型化を図ることができる。
【００３９】
（１０）上記の他の観点の発明の電気コネクタにおいて、前記固定部と前記脱落阻止部とは、一体の部材として設けられていてもよい。この構成によると、固定部と脱落阻止部とが一体の部材として設けられるため、更に、構造の簡素化と部品点数の削減とを図ることができる。
【００４０】
（１１）上記の他の観点の発明の電気コネクタにおいて、前記固定部は、前記ハウジングの一部を当該ハウジングの厚み方向に挟み込んだ状態で当該ハウジングに係合していることで当該固定部を当該ハウジングに固定する固定爪部、を有していてもよい。この構成によると、固定部は、ハウジングを厚み方向に挟み込んで係合する固定爪部によって、ハウジングに固定される。このため、簡素な構造でより強固にハウジングに一体化された固定部を実現することができる。尚、固定爪部は、例えば、かしめ構造によって固定部をハウジングに固定してもよい。より具体的には、例えば、固定爪部がハウジングに設けられた貫通穴に挿通された後に、固定爪部の先端側が折り曲げ加工され、固定爪部がハウジングにかしめられることで、固定部がハウジングに固定されてもよい。
【００４１】
（１２）電気コネクタとそれが実装される基板とを含む構造の薄型化を図ることができる電気コネクタ付基板を提供することを目的として、他の観点の発明の電気コネクタ付基板を構成することができる。他の観点の発明のある局面に係る電気コネクタ付基板は、上記の他の観点の発明のある局面に係る電気コネクタと、当該電気コネクタが実装された基板と、を備えている。この構成によると、上記の他の観点の発明のある局面に係る電気コネクタと同様の効果を奏することができる。即ち、電気コネクタとそれが実装される基板とを含む構造の薄型化を図ることができる。
【発明の効果】
【００４２】
本発明によると、電気コネクタとそれが実装される基板とを含む構造の薄型化を図ることができるとともに、基板に実装された状態の電気コネクタの操作時の電気コネクタ及び基板の厚み方向の力の発生を抑制することができる。
【図面の簡単な説明】
【００４３】
【図１】本発明の一実施の形態に係る電気コネクタ及び電気コネクタ付基板を示す斜視図であって、電気コネクタに接続された相手側接続部材の一部とともに示す図である。
【図２】電気コネクタ付基板を図１とは反対側から見た状態を示す斜視図であって、電気コネクタに接続された相手側接続部材の一部とともに示す図である。
【図３】相手側接続部材の一部を示す図であって、図３（Ａ）は相手側接続部材をその表裏面のうちの一方の面の側から見た状態を示す斜視図であり、図３（Ｂ）は相手側接続部材をその表裏面のうちの他方の面の側から見た状態を示す斜視図である。
【図４】電気コネクタの斜視図である。
【図５】電気コネクタを図４とは異なる角度から見た状態を示す斜視図である。
【図６】電気コネクタを図４とは反対側から見た状態を示す斜視図である。
【図７】電気コネクタの平面図である。
【図８】電気コネクタを示す図であって、図８（Ａ）は正面図であり、図８（Ｂ）は底面図である。
【図９】電気コネクタの断面図であって、図７のＸ１−Ｘ１線矢視方向から見た断面図である。
【図１０】電気コネクタの断面図であって、図７のＸ２−Ｘ２線矢視方向から見た断面図である。
【図１１】電気コネクタの断面図であって、図７のＸ３−Ｘ３線矢視方向から見た断面図である。
【図１２】電気コネクタにおける固定ロック部材を示す斜視図であって、図１２（Ａ）及び図１２（Ｂ）は、固定ロック部材を互いに異なる角度から見た状態を示す斜視図である。
【図１３】固定ロック部材を示す図であって、図１３（Ａ）は側面図であり、図１３（Ｂ）は平面図であり、図１３（Ｃ）は正面図であり、図１３（Ｄ）は底面図である。
【図１４】電気コネクタにおけるスライダを示す斜視図であって、図１４（Ａ）及び図１４（Ｂ）は、スライダを互いに異なる角度から見た状態を示す斜視図である。
【図１５】スライダを示す図であって、図１５（Ａ）は側面図であり、図１５（Ｂ）は平面図であり、図１５（Ｃ）は正面図であり、図１５（Ｄ）は底面図である。
【図１６】電気コネクタと相手側接続部材との接続動作を説明するための図であって、基板に実装された電気コネクタに相手側接続部材が接続される前の状態を示す斜視図である。
【図１７】電気コネクタと相手側接続部材との接続動作を説明するための図であって、基板に実装された電気コネクタに相手側接続部材が接続されている途中の状態を示す斜視図である。
【図１８】電気コネクタと相手側接続部材との接続動作を説明するための図であって、基板に実装された電気コネクタに相手側接続部材が接続された状態を示す斜視図である。
【図１９】電気コネクタから相手側接続部材が取り外される際の動作を説明するための図であって、基板に実装された電気コネクタから相手側接続部材が取り外される前の状態を示す斜視図である。
【図２０】電気コネクタから相手側接続部材が取り外される際の動作を説明するための図であって、基板に実装された電気コネクタから相手側接続部材が取り外されている途中の状態を示す斜視図である。
【図２１】電気コネクタから相手側接続部材が取り外される際の動作を説明するための図であって、基板に実装された電気コネクタから相手側接続部材が取り外された状態を示す斜視図である。
【発明を実施するための形態】
【００４４】
以下、本発明を実施するための形態について図面を参照しつつ説明する。本発明は、電気コネクタ、又は、電気コネクタ付基板として、種々の用途に広く適用することができる。
【００４５】
［電気コネクタ付基板の概略］
図１は、本発明の一実施の形態に係る電気コネクタ２及び電気コネクタ付基板１を示す斜視図であって、電気コネクタ２に接続された相手側接続部材１００の一部とともに示す図である。図２は、電気コネクタ付基板１を図１とは反対側から見た状態を示す斜視図であって、電気コネクタ２に接続された相手側接続部材１００の一部とともに示す図である。尚、図１及び図２では、相手側接続部材１００については、電気コネクタ２に接続された部分とその近傍の部分とが切欠き状態で図示されている。
【００４６】
電気コネクタ付基板１は、電気コネクタ２と、この電気コネクタ２が実装された基板３と、を備えて構成されている。尚、図１及び図２では、基板１００について、一部のみが切り欠き状態で模式的に図示されている。
【００４７】
電気コネクタ２は、基板３に実装されるとともに相手側接続部材１００が電気的に接続される電気コネクタとして構成されている。
【００４８】
基板３は、導電回路パターンが表裏面のうちの少なくともいずれか一方に設けられた基板として構成されている。尚、図１及び図２では、基板１０１における導電回路パターンの図示は省略されている。基板３には、切欠き部３ａ、実装部３ｂ、等が設けられている。
【００４９】
切欠き部３ａは、基板３の縁部３ｃに設けられて電気コネクタ２が配置される領域として構成され、基板３をその厚み方向に貫通した領域として構成されている。そして、切欠き部３ａは、基板３の縁部３ａから基板３の内側に向かって凹むように切り欠かれた領域として構成されている。また、切欠き部３ａは、電気コネクタ２の外形に沿った形状で凹むように切り欠かれた領域として構成されている。
【００５０】
実装部３ｂは、基板３における電気コネクタ２が実装される領域として構成されている。本実施形態の基板３においては、実装部３ｂは、基板３の表裏面のうちの少なくとも一方の面の少なくとも一部を含む領域として構成され、上記の導電回路パターンも含まれている。電気コネクタ付基板１の例においては、電気コネクタ２が、基板３の実装部３ｂに対して、はんだ付けによって実装されている。そして、電気コネクタ２は、実装部３ｂに対して切欠き部３ａの周囲で実装されている。
【００５１】
［相手側接続部材］
ここで、電気コネクタ２に接続される相手側接続部材１００について更に説明する。図３は、相手側接続部材１００の一部を示す図であって、図３（Ａ）は相手側接続部材１００をその表裏面のうちの一方の面の側から見た状態を示す斜視図であり、図３（Ｂ）は相手側接続部材１００をその表裏面のうちの他方の面の側から見た状態を示す斜視図である。図３においては、相手側接続部材１００の端部１００ａを含む相手側接続部材１００の一部が模式的に図示されている。図１乃至図３に示す相手側接続部材１００は、本実施形態においては、絶縁被覆された複数の導体を有するフレキシブルケーブルとして構成されている。より具体的には、相手側接続部材１００は、フレキシブルフラットケーブル（ＦＦＣ）として構成されている。相手側接続部材１００は、複数の導体１０１、被覆部１０２、補強板１０３、等が設けられている。
【００５２】
相手側接続部材１００は、全体形状が平坦な形状で細長く延びる形態を有している。しかし、図１乃至図３では、相手側接続部材１００の端部１００ａの部分とその近傍の部分とが切り欠き状態で図示されている。即ち、図１乃至図３では、相手側接続部材１００の長手方向における端部１００ａを含む一部が図示されている。
【００５３】
複数の導体１０１は、それぞれ細長く延びる形状に形成され、相手側接続部材１００において等間隔で配列されている。そして、複数の導体１０１は、相手側接続部材１００において、互いに平行に延びるように設けられている。平行に延びるように配置された複数の導体１０１が並ぶ方向が、相手側接続部材１００の幅方向となる。各導体１０１は、例えば、１本の細長くて平たい箔状の金属線材として、或いは細かい金属線材が束ねられた集合体として構成されている。本実施形態では、各導体１０１が１本の平たい箔状の金属線材として構成された形態が、例示されている。
【００５４】
被覆部１０２は、絶縁性材料で形成されて、複数の導体１０１を被覆するように設けられている。即ち、複数の導体１０１は、被覆部１０２によって絶縁被覆されている。本実施形態では、被覆部１０２として、相手側接続部材１００の表面側及び裏面側のそれぞれに設けられた一対の絶縁シート或いは絶縁フィルムを備えて構成された形態を例示している。この例では、例えば、一対の絶縁シート或いは一対の絶縁フィルムが、平行に配置された複数の導体１０１を挟んだ状態で、一体化される。これにより、複数の導体１０１を絶縁性材料で被覆する被覆部１０２が構成される。
【００５５】
補強板１０３は、例えば、樹脂材料で形成され、相手側接続部材１００の端部１００ａに設けられている。補強板１０３は、相手側接続部材１００の端部１００ａの先端の剛性を増大させて補強するための細長い平板状の部材として設けられている。尚、相手側接続部材１００の端部１００ａが電気コネクタ２に対して接続される際に、その接続工程が円滑に行われるように、導電部材１００の端部１００ａに補強板１０３が設けられている。
【００５６】
補強板１０３は、相手側接続部材１００の端部１００ａにおける表裏面のうちの一方の面に張り付けられて固定されている。補強板１０３は、相手側接続部材１００の端部１００ａに対して、その表裏面のうちの一方の面を、相手側接続部材１００の長手方向に対して垂直な幅方向に亘って覆うように、取り付けられている。尚、図３（Ａ）において、相手側接続部材１００の長手方向が両端矢印Ｘ１で示されており、相手側接続部材１００の幅方向が両端矢印Ｘ２で示されている。
【００５７】
また、相手側接続部材１００には、その端部１００ａにおいて、複数の導体１０１の端部が露出した導体露出部１０４が設けられている。導体露出部１０４は、相手側接続部材１００の端部１００ａにおいて、平坦に広がる表裏面のうち補強板１０３が取り付けられる側と反対側の面において複数の導体１０１の端部を露出させる部分として設けられている。
【００５８】
また、相手側接続部材１００には、幅方向両端部のそれぞれの一部において、被係合部１０５が設けられている。被係合部１０５は、相手側接続部材１００の端部１００ａにおいて、一対で設けられている。そして、各被係合部１０５は、相手側接続部材１００の端部１００ａにおいて、幅方向の両端部のそれぞれにて、幅方向の内側に向かって略矩形の形状で凹んだ部分として設けられている。各被係合部１０５は、相手側接続部材１００が電気コネクタ２に接続された際に、電気コネクタ２における後述の脱落阻止部１６の係合部２５が係合する部分として設けられている。
【００５９】
本実施形態では電気コネクタ２に対してフレキシブルケーブルとして構成された相手側接続部材１００が接続される形態を例にとって説明するが、この通りでなくてもよい。電気コネクタ２に接続される相手側接続部材は、上述した形態のフレキシブルケーブルに限らず、複数の導体を有するフレキシブル接続部材として設けられた相手側接続部材であればよい。例えば、相手側接続部材として、上述した形態とは異なる層構造或いは導体配置構造を有するフレキシブルケーブルとして設けられたフレキシブル接続部材が用いられてもよい。また、相手側接続部材として、フレキシブルプリント回路基板（ＦＰＣ）などのフレキシブル基板として設けられたフレキシブル接続部材が用いられてもよい。
【００６０】
［電気コネクタの概略］
図４は、電気コネクタ２の斜視図である。図５は、電気コネクタ２を図４とは異なる角度から見た状態を示す斜視図である。図６は、電気コネクタ２を図４とは反対側から見た状態を示す斜視図である。図７は、電気コネクタ２の平面図である。図８は、電気コネクタ２を示す図であって、図８（Ａ）は底面図であり、図８（Ｂ）は正面図である。図９乃至図１１は、電気コネクタ２の断面図である。そして、図９は、図７のＸ１−Ｘ１線矢視方向から見た断面図であり、図１０は、図７のＸ２−Ｘ２線矢視方向から見た断面図であり、図１１は、図７のＸ３−Ｘ３線矢視方向から見た断面図である。
【００６１】
図１、図２、図４乃至図１１に示す電気コネクタ２は、基板３に実装されるとともに相手側接続部材１００が電気的に接続される電気コネクタとして構成されている。そして、本実施形態では、電気コネクタ２は、基板３の縁部３ｃに設けられた切欠き部３ａに配置されるとともに基板３の実装部３ｂに対して切欠き部３ａの周囲で実装され、相手側接続部材１００が電気的に接続される電気コネクタとして構成されている。
【００６２】
電気コネクタ２は、複数の端子１１、ハウジング１２、固定部１５及び脱落阻止部１６を備えて構成された固定ロック部材１３、スライダ１４、を備えて構成されている。
【００６３】
［端子及びハウジング］
図１、図４乃至図９に示す複数の端子１１は、導電性を有する金属材料でそれぞれ形成され、ハウジング１２に保持されている。そして、複数の端子１１のそれぞれは、基板３に対して機械的及び電気的に接続されるとともに、相手側接続部材１００に対しても電気的に接続される。より具体的には、各端子１１は、電気コネクタ２に接続される相手側接続部材１００における各導体１０１に対してそれぞれ接触することで電気的に接続される。そして、各端子１１は、基板３の実装部３ｂにおける導電回路パターンの所定の部分ではんだ付けされることによって、基板３に対して機械的に固定されるとともに、基板１０１の導電回路パターンに対して電気的に接続される。
【００６４】
また、複数の端子１１は、ハウジング１２において、ハウジング１２の幅方向に沿って並んで配置されている。即ち、ハウジング１２の幅方向は、複数の端子１１が並んで配置される方向として構成される。ハウジング１１の幅方向については、図７、図８（Ａ）及び図８（Ｂ）にて、両端矢印Ｘ４で示している。尚、ハウジング１２の幅方向は、電気コネクタ２の幅方向と同じ方向となる。
【００６５】
複数の端子１１のそれぞれは、本体部１１ａ、基板接続部１１ｂ、導体接続部１１ｃ、ハウジング固定部１１ｄを含んで構成されている（図９を参照）。本実施形態では、本体部１１ａ、基板接続部１１ｂ、導体接続部１１ｃ、ハウジング固定部１１ｄが一体に設けられた形態が例示されている。本体部１１ａは、端子１１の中央の構造部として設けられている。そして、本体部１１ａに対して、基板接続部１１ｂが一方に向かって片持ち状に突出し、導体接続部１１ｃ及びハウジング固定部１１ｄのそれぞれが他方に向かって片持ち状に突出するように設けられている。
【００６６】
基板接続部１１ｂは、端子１１における一方の端部側の部分として設けられ、基板３に対して接続される部分として構成されている。基板接続部１１ｂは、基板３に対して、実装部３ｂにおいてはんだ付けで実装され、機械的に固定されるとともに電気的に接続される。
【００６７】
導体接続部１１ｃは、端子１１における他方の端部側の部分として設けられ、相手側接続部材１００の導体１０１に対して接続される部分として構成されている。導体接続部１１ｃは、本体部１１ａから片持ち状に突出した先端部分において、ハウジング１２に挿入された相手側接続部材１００の端部の導体１０１に対して接触して電気的に接続される。より具体的には、導体接続部１１ｃは、その先端部分において、ハウジング１２の内側の壁部である内壁部１７との間で相手側接続部材１００の端部を挟み込んだ状態で、導体１０１に対して接触して相手側接続部材１００に電気的に接続されるように構成されている（図９を参照）。
【００６８】
ハウジング固定部１１ｄは、端子１１における他方の端部側の部分として設けられ、ハウジング１２の内部でハウジング１２に嵌合して固定される部分として構成されている。尚、ハウジング固定部１１ｄは、導体接続部１１ｃと略同方向に沿って片持ち状に延びるように設けられている。ハウジング１２の内部には、複数の端子１１に対応して設けられた複数の嵌合穴１８が設けられている（図９を参照）。ハウジング１２に保持される各端子１１は、ハウジング固定部１１ｄが各嵌合穴１８に嵌合することで、ハウジング１２に固定され、ハウジング１２に保持される。
【００６９】
図１、図２、図４乃至図１１に示すハウジング１２は、絶縁性を有する樹脂材料で形成され、幅方向に長く延びる薄型の筐体状の外形を有する部材として設けられている。ハウジング１２は、複数の端子１１を保持するとともに、相手側接続部材１００の端部１００ａが挿入されるように構成されている。また、ハウジング１２には、接続部材挿入口１９、固定ロック部材設置部２０、スライダ支持穴２１、等が設けられている。
【００７０】
接続部材挿入口１９は、ハウジング１２において、相手側接続部材１００の端部１００ａが挿入される開口として設けられている。接続部材挿入口１９は、ハウジング１２において、ハウジング１２の幅方向に延びる開口形状に形成されている。そして、接続部材挿入口１９は、ハウジング１２の幅方向及び厚み方向に対して垂直な方向であるハウジング１２の前後方向に延びる穴として形成されている。尚、ハウジング１２の前後方向については、図７にて、両端矢印Ｘ５で示している。ハウジング１２の前後方向は、電気コネクタ２の前後方向と同じ方向となり、電気コネクタ２と相手側接続部材１００との接続方向とも同じ方向となる。また、ハウジング１２の厚み方向については、図８（Ａ）にて、両端矢印Ｘ６で示している。ハウジング１２の厚み方向は、電気コネクタ２の厚み方向と同じ方向となる。
【００７１】
また、ハウジング１２における接続部材挿入口１９の内側においては、複数の端子１１の導体接続部１１ｃが露出している。接続部材挿入口１９からハウジング１２に相手側接続部材１００の端部１００ａが挿入されると、相手側接続部材１００の各導体１０１は、各端子１１の導体接続部１１ｃに接触し、各端子１１に電気的に接続される。尚、ハウジング１２においては、ハウジング１２の前後方向における接続部材挿入口１９が開口する側と反対側にて、複数の端子挿入口が開口している。複数の端子挿入口のそれぞれは、複数の端子１１のそれぞれがハウジング１２に取り付けられる際に、複数の端子１１のそれぞれがハウジング１２に対して挿入される穴として構成されている。複数の端子挿入口のそれぞれは、ハウジング１２の内部において、接続部材挿入口１９と連通している。
【００７２】
固定ロック部材設置部２０は、ハウジング１２において、後述する固定ロック部材１３が設置される領域として構成されている。固定ロック部材設置部２０は、ハウジング１２において、ハウジング１２の幅方向の両側にそれぞれ設けられている。そして、固定ロック部材設置部２０は、ハウジング１２において、ハウジング１２の厚み方向における一方の面において段状に凹み形成された領域として設けられている。また、ハウジング１２において凹み形成された固定ロック部材設置部２０の領域は、後述する固定ロック部材１３の脱落阻止部１６と固定部１５の一部とが収納される大きさに形成されている。更に、固定ロック部材設置部２０が、ハウジング１２の厚み方向における一方の面から凹む深さ寸法は、後述する固定ロック部材１３の脱落阻止部１６の厚み寸法と同じ寸法又は少し深い寸法に設定されている。
【００７３】
スライダ支持穴２１は、ハウジング１２において、後述するスライダ１４がスライド移動自在に挿入されて支持される穴として構成されている（図５、図１１を参照）。スライダ支持穴２１は、ハウジング１２において、ハウジング１２の幅方向の両側にそれぞれ設けられている。そして、スライダ支持穴２１は、ハウジング１２において、ハウジング１２の前後方向における接続部材挿入口１９が開口する側と反対側にて、開口している。スライダ１４がハウジング１２に取り付けられる際には、スライダ１４は、スライダ支持穴２１からハウジング１２の前後方向に沿って挿入される。
【００７４】
［固定部及び脱落阻止部］
図１、図２、図４乃至図１１に示す固定ロック部材１３は、固定部１５及び脱落阻止部１６を備えて構成されている。本実施形態では、固定ロック部材１３は、金属材料で形成されている。また、本実施形態の電気コネクタ２では、固定ロック部材１３は、複数設けられている。より具体的には、固定ロック部材１３ａ及び固定ロック部材１３ｂの２つの固定ロック部材１３が設けられている。
【００７５】
固定ロック部材１３（１３ａ、１３ｂ）は、電気コネクタ２の幅方向両側に設けられており、ハウジング１２に対して、ハウジング１２の幅方向の両側に取り付けられている。固定ロック部材１３ａが、ハウジング１２の幅方向の一方の端部側に取り付けられており、固定ロック部材１３ｂが、ハウジング１２の幅方向の他方の端部側に取り付けられている。
【００７６】
固定ロック部材１３ａ及び固定ロック部材１３ｂは、それぞれ、一体の部材として設けられている。そして、固定ロック部材１３ａ及び固定ロック部材１３ｂは、いずれも、固定部１５及び脱落阻止部１６を備えて構成されている。即ち、固定部１５と脱落阻止部１６とは、一体の部材として設けられている。
【００７７】
固定ロック部材１３ａ及び固定ロック部材１３ｂは、固定部１５及び脱落阻止部１６を備えて同様に構成されているが、互いに、鏡像対称な形状に形成されている。そして、電気コネクタ２においては、固定ロック部材１３ａ及び固定ロック部材１３ｂは、電気コネクタ２の幅方向の中央位置を中心として面対称な状態で配置されている。
【００７８】
図１２は、電気コネクタ２における固定ロック部材１３の１つの固定ロック部材１３ａを示す斜視図であって、図１２（Ａ）及び図１２（Ｂ）は、固定ロック部材１３ａを互いに異なる角度から見た状態を示す斜視図である。図１３は、固定ロック部材１３ａを示す図であって、図１３（Ａ）は側面図であり、図１３（Ｂ）は平面図であり、図１３（Ｃ）は正面図であり、図１３（Ｄ）は底面図である。固定ロック部材１３ａ及び固定ロック部材１３ｂは、鏡像対称な形状であり、同様の要素を備えて構成されるため、以下の説明では、図１、図４乃至図８の参照に加え、固定ロック部材１３ａについての図面である図１２及び図１３も参照しつつ、固定ロック部材１３について説明する。また、以下の説明では、固定ロック部材１３ａ又は固定ロック部材１３ｂについて、固定ロック部材１３とも称する。
【００７９】
図１、図２、図４乃至図１３に示す固定ロック部材１３は、前述の通り、一体に設けられた固定部１５及び脱落阻止部１６を備えている。固定ロック部材１３は、ハウジング１２に取り付けられた状態でハウジング１２の幅方向に沿った長手方向を有している。そして、固定ロック部材１３の長手方向における一方側の部分が固定部１５として設けられ、固定ロック部材１３の長手方向における他方側の部分が脱落阻止部１６として設けられている。尚、ハウジング１２に取り付けられた状態で、固定部１５がハウジング１２の幅方向の外側に配置され、脱落阻止部１６がハウジング１２の幅方向の内側に配置される。
【００８０】
固定部１５は、固定ロック部材１３において、ハウジング１２を基板３の実装部３ｂに固定するための部分として設けられている。そして、固定部１５は、本実施形態では、被はんだ付け部２２、固定爪部２３、を備えて構成されている。
【００８１】
被はんだ付け部２２は、はんだ付けによって基板３の実装部３ｂに実装される部分として設けられている。そして、本実施形態では、被はんだ付け部２２は、固定ロック部材１３の長手方向の一方の端部における平坦な板状の部分として設けられている。
【００８２】
固定爪部２３は、固定ロック部材１３において一対で設けられており、固定ロック部材１３の長手方向と直交する方向における両側にそれぞれ設けられている。そして、各固定爪部２３は、ハウジング１２の一部をハウジング１２の厚み方向に挟み込んだ状態でハウジング１２に係合していることで固定部１５をハウジング１２に固定するように構成されている。
【００８３】
本実施形態では、各固定爪部２３が固定部１５をハウジング１２に固定する前の状態では、各固定爪部２３は、固定ロック部材１３の長手方向と直交する方向に沿って、固定ロック部材１３において片持ち状に延びた部分として設けられている。そして、各固定爪部２３が固定部１５をハウジング１２に固定する際には、まず、上記の片持ち状に延びた部分が、略９０度に亘って屈曲される。次いで、略９０度に屈曲された片持ち状に延びた部分の先端側の部分が、ハウジング１２を厚み方向に貫通した貫通穴に挿入される。更に、ハウジング１２の貫通穴を貫通した上記の先端側の部分が、略９０度に亘って屈曲形成される。
【００８４】
上記のように、本実施形態では、かしめ構造によって固定部１５がハウジング１２に固定されている。即ち、固定爪部２３がハウジング１２に設けられた貫通穴に挿通された後に、固定爪部２３の先端側が折り曲げ加工され、固定爪部２３がハウジング１２にかしめられることで、固定部１５がハウジング１２に固定されている。
【００８５】
脱落阻止部１６は、バネ部２４及び係合部２５を備えて構成されている。バネ部２４は、脱落阻止部１６において、ハウジング１２に挿入された相手側接続部材１００の端部１００ａと当接して弾性変形する部分として設けられている。係合部２５は、脱落阻止部１６において、バネ部２４が弾性回復した際に相手側接続部材１００に係合する部分として設けられている。本実施形態では、係合部２５は、バネ部２４の先端側の端部に設けられ、固定ロック部材１３における固定部１５側と反対側の端部に設けられている。そして、脱落阻止部１６は、係合部２５の相手側接続部材１００への係合により相手側接続部材１００のハウジング１２からの脱落を阻止するように構成されている。
【００８６】
バネ部２４は、固定ロック部材１３において、固定部１５側と一体に設けられ、固定ロック部材１３の長手方向に沿って固定部１５側と反対側に向かって延びる概略形状を有している。そして、バネ部２４には、第１当接部２６、第２当接部２７、片持ちバネ部分２８、スライダ係止部２９が設けられている。
【００８７】
片持ちバネ部分２８は、固定ロック部材１３の長手方向に沿って延びる板バネ状の部分として設けられている。そして、片持ちバネ部分２８は、固定ロック部材１３において、固定部１５に対して片持ち状に支持されるとともにハウジング１２の幅方向と平行な方向に沿って片持ち状に延びる部分として設けられている。また、片持ちバネ部分２８は、平坦な板状の部分として片持ち状に延びるように形成されている。そして、片持ちバネ部分２８は、片持ちバネ部分２８の厚み方向がハウジング１２の厚み方向と略平行な状態で、固定ロック部材設置部２０に配置されている。このため、電気コネクタ２の厚み方向の寸法の更なる薄型化が図られている。
【００８８】
また、片持ちバネ部分２８は、固定部１５側の部分のハウジング１２前後方向の寸法が大きく、固定部１５側と反対側の部分である先端側の部分のハウジング１２前後方向の寸法が小さく設定されている。このため、片持ちバネ部分２８は、片持ち状に延びる先端側にかけて段状に幅が狭くなる部分が設けられている。そして、片持ちバネ部分２８における段状に幅が狭くなる部分からは、ハウジング１２の前後方向に沿って片持ち状に延びる分岐部２８ａが分岐して設けられている。分岐部２８ａには、第２当接部２７とスライダ係止部２９とが設けられている。第２当接部２７とスライダ係止部２９とは、分岐部２８ａが片持ち状に延びる方向に沿って並んで配置されている。
【００８９】
第１当接部２６は、脱落阻止部１６のバネ部２４において、ハウジング１２に挿入された相手側接続部材１００の端部１００ａが当接する部分として設けられている。本実施形態では、第１当接部２６は、バネ部２４の片持ちバネ部分２８の先端側の端部に設けられ、固定ロック部材１３における固定部１５側と反対側の端部に設けられている。尚、片持ちバネ部分２８の先端側の端部は、片持ちバネ部分２８が延びる方向に対して、ハウジング１２の内部側に向かって略９０度に屈曲形成された部分として設けられている。
【００９０】
また、第１当接部２６は、片持ちバネ部分２８の先端側の端部において、係合部２５と並んで設けられている。より具体的には、第１当接部２６は、片持ちバネ部分２８の先端側の端部にて、相手側接続部材１００の端部１００ａがハウジング１２に挿入される方向である挿入方向と平行な方向において、係合部２５と並んで設けられている。そして、片持ちバネ部分２８の先端側の端部にて、第１当接部２６が、相手側接続部材１００の端部１００ａの挿入方向と平行な方向において、相手側接続部材１００の端部１００ａがハウジング１２に挿入される側である接続部材挿入口１９側に設けられている。一方、片持ちバネ部分２８の先端側の端部にて、係合部２５が、相手側接続部材１００の端部１００ａの挿入方向と平行な方向において、相手側接続部材１００の端部１００ａがハウジング１２に挿入される側と反対側に、即ち、接続部材挿入口１９側と反対側に設けられている。尚、相手側接続部材１００の端部１００ａの挿入方向については、図７にて、矢印Ｘ７で示している。
【００９１】
また、第１当接部２６は、片持ちバネ部分２８の先端側の端部であってハウジング１２の内部側に向かって屈曲形成された部分において、ハウジング１２の厚み方向に対して傾斜した傾斜面２６ａを含んで構成されている。また、第１当接部２６の傾斜面２６ａは、ハウジング１２の厚み方向に対して傾斜した面として構成されるとともに、相手側接続部材１００の端部１００ａの挿入方向に対しても傾斜した面として構成されている。更に、第１当接部２６の傾斜面２６ａは、ハウジング１２の表面側から内部側に向かうに従って相手側接続部材１００の端部１００ａの挿入方向における接続部材挿入口１９側からハウジング１２の内部側に傾斜するように、傾斜した面として構成されている。
【００９２】
第１当接部２６は、ハウジング１２に挿入された相手側接続部材１００の端部１００ａに対して、上記のように構成された傾斜面２６ａにて当接する。このため、ハウジング１２に相手側接続部材１００の端部１００ａが挿入されて傾斜面２６ａに当接すると、片持ちバネ部分２８の先端側の端部が、ハウジング１２の内部側から、ハウジング１２の厚み方向に沿って、ハウジング１２の外側に向かって付勢される。これにより、バネ部２４の片持ちバネ部分２８がハウジング１２の外側に向かって撓むように弾性変形することになる。
【００９３】
第２当接部２７は、脱落阻止部１６のバネ部２４において、後述するスライダ１４が当接する部分として設けられている。本実施形態では、第２当接部２７は、バネ部２４において片持ちバネ部分２８から分岐した分岐部２８ａに設けられている。尚、分岐部２８ａは、ハウジング１２の幅方向と平行に延びる片持ちバネ部分２８に対して略直交する方向に沿って延びている。更に、分岐部２８ａは、片持ちバネ部分２８から、相手側接続部材１００の端部１００ａの挿入方向と平行な方向に沿って、片持ち状に延びている。
【００９４】
また、第２当接部２７は、分岐部２８ａから更に分岐して短く延びる部分として設けられている。そして、第２当接部２７は、分岐部２８ａが延びる方向に対して、ハウジング１２の内部側に向かって略９０度に屈曲されて短く延びる部分として設けられている。更に、第２当接部２７は、ハウジング１２の内部側に向かって短く延びる部分において、ハウジング１２の厚み方向に対して傾斜した傾斜面２７ａを含んで構成されている。また、第２当接部２７の傾斜面２７ａは、ハウジング１２の厚み方向に対して傾斜した面として構成されるとともに、相手側接続部材１００の端部１００ａの挿入方向と反対方向であってハウジング１２における接続部材挿入口１９側と反対側からハウジング１２の内部側に向かう方向に対しても傾斜した面として構成されている。更に、第２当接部２７の傾斜面２７ａは、ハウジング１２の表面側から内部側に向かうに従って相手側接続部材１００の端部１００ａの挿入方向と反対方向における接続部材挿入口１９側と反対側からハウジング１２の内部側に傾斜するように、傾斜した面として構成されている。
【００９５】
第２当接部２７は、後述するスライダ１４の操作が行われた際に、スライダ１４に対して、上記のように構成された傾斜面２７ａにて当接する。このため、スライダ１４が挿入されて傾斜面２７ａに当接すると、分岐部２８ａとともに片持ちバネ部分２８が、ハウジング１２の内部側から、ハウジング１２の厚み方向に沿って、ハウジング１２の外側に向かって付勢される。これにより、バネ部２４の片持ちバネ部分２８がハウジング１２の外側に向かって撓むように弾性変形することになる。
【００９６】
また、上記のように、第１当接部２６は、片持ちバネ部分２８の先端側の端部に設けられ、第２当接部２７は、分岐部２８ａに設けられている。このため、第２当接部２７は、第１当接部２６に対して、ハウジング１２の幅方向と平行な方向においてずれた位置に設けられている。また、第１当接部２６は、脱落阻止部１６にて、相手側接続部材１００の端部１００ａの挿入方向と平行な方向において、相手側接続部材１００の端部１００ａがハウジング１２に挿入される側に設けられている。そして、第２当接部２７は、脱落阻止部１６にて、第１当接部２６に対して、相手側接続部材１００の端部１００ａの挿入方向と平行な方向において、相手側接続部材１００の端部１００ａがハウジング１２に挿入される側と反対側に設けられている。
【００９７】
スライダ係止部２９は、分岐部２８ａに設けられ、ハウジング１２に取り付けられた後述のスライダ１４に係止する爪状の部分として設けられている。スライダ係止部２９がスライダ１４に係止することで、スライダ１４のハウジング１２からの脱落が防止される。スライダ係止部２９は、分岐部２８ａにおいて、第２当接部２７に対して、相手側接続部材１００の端部１００ａの挿入方向と平行な方向において、相手側接続部材１００の端部１００ａがハウジング１２に挿入される側と反対側に設けられている。
【００９８】
尚、スライダ係止部２９には、スライダ１４がハウジング１２に取り付けられる際にスライダ１４に当接する傾斜面が設けられている。スライダ１４がハウジング１２に取り付けられる際には、後述するスライダ１４の当接端部３１がスライダ係止部２９の傾斜面に当接し、一旦、バネ部２４が撓む。そして、スライダ１４のハウジング１２への取り付けが完了した状態では、バネ部２４が弾性回復して撓む前の状態に戻り、後述するスライダ１４の係止穴３３にスライダ係止部２９が遊嵌状態で嵌まり込む。これにより、スライダ係止部２９がスライダ１４に係止して、スライダ１４のハウジング１２からの脱落が防止される。
【００９９】
［スライダ］
図１４は、電気コネクタ２におけるスライダ１４を示す斜視図であって、図１４（Ａ）及び図１４（Ｂ）は、スライダ１４を互いに異なる角度から見た状態を示す斜視図である。図１５は、スライダ１４を示す図であって、図１５（Ａ）は側面図であり、図１５（Ｂ）は平面図であり、図１５（Ｃ）は正面図であり、図１５（Ｄ）は底面図である。
【０１００】
図１、図２、図４乃至図７、図９乃至図１１、図１４、図１５に示すスライダ１４は、電気コネクタ２においては、複数設けられており、本実施形態では、２つ設けられている。各スライダ１４は、ハウジング１２に対して、ハウジング１２の幅方向の両側にそれぞれ設けられた各スライダ支持穴２１において、取り付けられている。よって、スライダ１４は、ハウジング１２に対して、ハウジング１２の幅方向の両側に取り付けられている。また、電気コネクタ２においては、各スライダ１４は、各脱落阻止部１６に対応して設けられている。よって、脱落阻止部１６及びスライダ１４は、ハウジング１２に対して、ハウジング１２の幅方向の両側に取り付けられている。
【０１０１】
２つのスライダ１４のそれぞれは、同じ形状に形成されている。そして、各スライダ１４は、平坦な板状に形成された本体部３０、本体部３０に一体に設けられた当接端部３１及び操作部３２、等を備えて構成されている。
【０１０２】
本体部３０は、平坦な板状の部分として形成され、略長方形状に形成された部分を有している。そして、本体部３０の長手方向における一方の端部に当接端部３１が一体に設けられている。また、本体部３０の長手方向における他方の端部に操作部３２が一体に設けられている。本体部３０は、一方の端部である当接端部３１側からハウジング１２のスライダ支持穴２１に対して挿入される。また、本体部３０は、ハウジング１２の前後方向に沿って、相手側接続部材１００の端部１００ａの挿入方向と逆方向に向かって、ハウジング１２のスライダ支持穴２１に対して挿入される。そして、各スライダ１４は、本体部３０において、ハウジング１２のスライダ支持穴２１に対してスライド移動自在に挿入されて支持される。
【０１０３】
また、本体部３０には、本体部３０の長手方向に沿って長方形の長穴状に延びる係止穴３３が設けられている。係止穴３３は、板状の本体部３０を板厚方向に貫通する穴として設けられている。係止穴３３には、本体部３０がスライダ支持穴２１に挿入されることで、前述したように、スライダ係止部２９が遊嵌状態で嵌まり込む。これにより、スライダ係止部２９がスライダ１４に係止して、スライダ１４のハウジング１２からの脱落が防止される。スライダ１４は、本体部３０がハウジング１２のスライダ支持穴２１に挿入されて係止穴３３に固定ロック部材１３のスライダ係止部２９が遊嵌状態で嵌まり込んでいることで、ハウジング１２に対してスライド移動自在に取り付けられる。
【０１０４】
当接端部３１は、本体部３０の長手方向における一方の端部として設けられ、脱落阻止部１６の第２当接部２７に当接する部分として設けられている。スライダ１４がハウジング１２に取り付けられる際には、スライダ１４は、当接端部３１から、相手側接続部材１００の端部１００ａがハウジング１２に挿入される方向と逆方向に沿って、スライダ支持穴２１に挿入される。スライダ１４がスライダ支持穴２１に挿入されると、まず、当接端部３１がバネ部２４のスライダ係止部２９に当接し、一旦バネ部２４が弾性変形する。そして、スライダ１４が更にスライダ支持穴２１に深く挿入されることで、スライダ係止部２９が係止穴３３に遊嵌状態で嵌まり込み、スライダ１４がスライド移動自在にハウジング１２に取り付けられる。
【０１０５】
スライダ１４がスライド移動自在にハウジング１２に取り付けられた状態では、スライダ１４は、当接端部３１が脱落阻止部１６の第２当接部２７に当接可能な状態で配置される。この状態で、更にスライダ１４がスライド支持穴２１の奥側に向かって押し込まれるように挿入される操作が行われると、当接端部３１が第２当接部２７の傾斜面２７ａに当接する。そして、分岐部２８ａとともに片持ちバネ部分２８が、ハウジング１２の内部側から、ハウジング１２の厚み方向に沿って、ハウジング１２の外側に向かって付勢される。これにより、バネ部２４の片持ちバネ部分２８がハウジング１２の外側に向かって撓むように弾性変形することになる。
【０１０６】
そして、脱落阻止部１６の係合部２５が相手側接続部材１００の端部１００ａに係合した状態で、上記のスライダ１４の操作が行われると、バネ部２４の片持ちバネ部分２８が弾性変形して係合部２５と相手側接続部材１００の端部１００ａとの係合が外れ、相手側接続部材１００と係合部２５との係合が解除されることになる。このように、スライダ１４は、ハウジング１２に対してスライド移動して脱落阻止部１６に当接することで、バネ部２４を弾性変形させ、相手側接続部材１００と脱落阻止部１６の係合部２５との係合を解除するように構成されている。
【０１０７】
操作部３２は、本体部３０の長手方向における他方の端部に設けられ、本体部３０における当接端部３１と反対側の端部に設けられている。操作部３２は、上記のように相手側接続部材１００と脱落阻止部１６の係合部２５との係合を解除するようにスライダ１４が操作される際に、作業者によって操作される部分として設けられている。本実施形態では、操作部３２は、一対で設けられており、本体部３０の長手方向に対して直交する方向に沿って並んで設けられている。また、本実施形態では、操作部３２は、作業者が指でつまんで操作できるように、本体部３０から略９０度に屈曲して短く延びる爪状の部分として設けられている。
【０１０８】
スライダ１４は、上述のように設けられていることで、相手側接続部材１００の端部１００ａがハウジング１２に挿入される方向と平行な方向に沿ってスライド移動自在にハウジング１２に取り付けられ、ハウジング１２に対してスライド移動して脱落阻止部１６に当接することで、バネ部２４を弾性変形させ、相手側接続部材１００と係合部２５との係合を解除するように構成されている。更に、本実施形態では、スライダ１４は、ハウジング１２に対して、相手側接続部材１００の端部１００ａがハウジング１２に挿入される方向と逆向きに平行な方向に沿ってスライド移動して脱落阻止部１６に当接することで、バネ部２４を弾性変形させ、相手側接続部材１００と係合部２５との係合を解除するように構成されている。
【０１０９】
［電気コネクタの作動］
次に、電気コネクタ２の作動について説明する。図１６乃至図１８は、電気コネクタ２と相手側接続部材１００との接続動作を説明するための図である。そして、図１６は、基板３に実装された電気コネクタ２に相手側接続部材１００が接続される前の状態を示す斜視図である。また、図１７は、基板３に実装された電気コネクタ２に相手側接続部材１００が接続されている途中の状態を示す斜視図である。図１８は、基板３に実装された電気コネクタ２に相手側接続部材１００が接続された状態を示す斜視図である。
【０１１０】
基板３に実装された電気コネクタ２に対して相手側接続部材１００が接続される際、即ち、電気コネクタ付基板１に対して相手側接続部材１００が接続される際には、相手側接続部材１００の端部１００ａが、ハウジング１２の接続部材挿入口１９に挿入される（図１６を参照）。接続部材挿入口１９に相手側接続部材１００の端部１００ａが挿入されると、接続部材挿入口１９の内側で、相手側接続部材１００の端部１００ａが、脱落阻止部１６の第１当接部２６の傾斜面２６ａに当接する。相手側接続部材１００の端部１００ａが傾斜面２６ａに当接することで、図１７に示すように、片持ちバネ部分２８の先端側の端部が、ハウジング１２の外側に向かって付勢され、バネ部２４の片持ちバネ部分２８がハウジング１２の外側に向かって撓むように弾性変形することになる。
【０１１１】
上記のようにバネ部２４が弾性変形した状態から更に相手側接続部材１００の端部１００ａがハウジング１２の内部に挿入されると、片持ちバネ部分２８の先端側の端部は、相手側接続部材１００の端部１００ａに一旦乗り上げた後、相手側接続部材１００の被係合部１０５に嵌まり込む。片持ちバネ部分２８の先端側の端部が相手側接続部材１００の被係合部１０５に嵌まり込むと、図１８に示すように、バネ部２４の片持ちバネ部分２８が弾性回復する。そして、バネ部２４が弾性回復すると、片持ちバネ部分２８の先端側の端部に設けられた係合部２５が、相手側接続部材１００の被係合部１０５に係合した状態が維持される。
【０１１２】
上記のように、係合部２５が相手側接続部材１００に係合することで、相手側接続部材１００のハウジング１２からの脱落が阻止される。また、相手側接続部材１００の端部１００ａがハウジング１２の内部に挿入されて係合部２５が相手側接続部材１００に係合した状態では、複数の端子１１のそれぞれが、相手側接続部材１００の複数の導体１０１のそれぞれに対して接触して電気的に接続される。これにより、電気コネクタ２と相手側接続部材１００とは、機械的及び電気的に接続され、電気コネクタ２への相手側接続部材１００の接続動作が完了する。
【０１１３】
図１９乃至図２１は、電気コネクタ２から相手側接続部材１００が取り外される際の動作を説明するための図である。そして、図１９は、基板３に実装された電気コネクタ２から相手側接続部材１００が取り外される前の状態を示す斜視図である。また、図２０は、基板３に実装された電気コネクタ２から相手側接続部材１００が取り外されている途中の状態を示す斜視図である。図２１は、基板３に実装された電気コネクタ２から相手側接続部材１００が取り外された状態を示す斜視図である。
【０１１４】
基板３に実装された電気コネクタ２から相手側接続部材１００が取り外される際、即ち、電気コネクタ付基板１から相手側接続部材１００が取り外される際には、まず、作業者によって、電気コネクタ２の幅方向両側に配置された２つのスライダ１４の操作が行われる。図１９においては、スライダ１４の操作が行われる前の状態が示されている。この状態では、各スライダ１４は、ハウジング１２のスライダ支持穴２１の奥側に向かって押し込まれる操作が行われておらず、各スライダ１４の当接端部３１は、脱落阻止部１６の第２当接部２７に当接してバネ部２４を弾性変形させた状態とはなっていない。このため、図１９に示す状態では、スライダ１４における操作部３２が設けられている端部は、スライダ支持穴２１から大きく突出した状態となっている。
【０１１５】
図１９に示す状態から、作業者によって、２つのスライダ１４の操作が行われる。尚、２つのスライダ１４の操作は、スライダ１４毎の操作が順番に行われてもよく、また、両スライダ１４の操作が同時タイミングで行われてもよい。スライダ１４の操作の際には、作業者は、指で操作部３２をつまみ、スライダ支持穴２１の奥側に向かって、スライダ１４を押し込むように、操作する。即ち、作業者は、スライダ１４を操作部３２にてつまみ、ハウジング１２の前後方向に沿って、相手側接続部材１００の端部１００ａの挿入方向と反対方向に向かって、スライダ１４をスライダ支持穴２１の奥側に押し込むように操作する。
【０１１６】
上記のスライダ１４の操作が行われると、ハウジング１２に対してスライド移動するスライダ１４の当接端部３１が第２当接部２７の傾斜面２７ａに当接する。そして、分岐部２８ａとともに片持ちバネ部分２８が、ハウジング１２の外側に向かって付勢される。これにより、図２０に示すように、バネ部２４の片持ちバネ部分２８がハウジング１２の外側に向かって撓むように弾性変形することになる。尚、図２０では、スライダ１４における操作部３２が設けられている端部は、スライダ支持穴２１に深めに挿入された状態となっている。
【０１１７】
そして、上記のようにスライダ１４の操作が行われてバネ部２４が弾性変形すると、バネ部２４の片持ちバネ部分２８の先端側の端部に設けられた係合部２５が、ハウジング１２の外側に向かって変位する。これにより、係合部２５と相手側接続部材１００の端部１００ａの被係合部１０５との係合が外れ、相手側接続部材１００と係合部２５との係合が解除されることになる。
【０１１８】
相手側接続部材１００と係合部２５との係合が解除されると、相手側接続部材１００の電気コネクタ２からの取り外しが可能な状態となる。このように相手側接続部材１００と係合部２５との係合が解除された状態で、作業者によって、相手側接続部材１００の端部１００ａがハウジング１２の接続部材挿入口１９から抜き出される操作が行われる（図２１を参照）。これにより、電気コネクタ２と相手側接続部材１００との機械的及び電気的な接続が解除され、電気コネクタ２からの相手側接続部材１００の取り外し動作が完了する。
【０１１９】
［本実施形態の作用効果］
本実施形態によると、電気コネクタ２は、基板３の縁部３ｃの切欠き部３ａに配置された状態で基板３の実装部３ｂに対して切欠き部３ａの周囲で実装される。これにより、電気コネクタ２とそれが実装される基板３とを含む構造の薄型化を図ることができる。
【０１２０】
また、本実施形態によると、基板３に実装された電気コネクタ２に相手側接続部材１００が接続される際には、相手側接続部材１００の端部１００ａがハウジング１２に挿入される。そして、一旦バネ部２４が弾性変形した後に弾性回復して係合部２５が相手側接続部材１００に係合し、相手側接続部材１００のハウジング１２からの脱落が阻止される。更に、ハウジング１２に挿入された相手側接続部材１００と端子１１とが電気的に接続される。このように、電気コネクタ２と相手側接続部材１００との接続操作が行われる。このため、電気コネクタ２と相手側接続部材１００との接続操作の際に電気コネクタ２及び基板３の厚み方向の力が作用することが抑制される。
【０１２１】
また、本実施形態によると、基板３に実装された電気コネクタ２から相手側接続部材１００を取り外す際には、相手側接続部材１００の端部１００ａがハウジング１２に挿入される方向と平行な方向に沿ってスライダ１４がスライド移動される。そして、スライダ１４が脱落阻止部１６に当接し、バネ部２４が弾性変形して相手側接続部材１００と係合部２５との係合が解除される。この状態で、相手側接続部材１００がハウジング１２から抜き出される。このように、電気コネクタ２と相手側接続部材１００との接続を解除して、電気コネクタ２から相手側接続部材１００を取り外す操作が行われる。このため、電気コネクタ２から相手側接続部材１００を取り外す操作の際に電気コネクタ２及び基板３の厚み方向の力が作用することが抑制される。
【０１２２】
従って、本実施形態によると、基板３に実装された状態の電気コネクタ２の操作時の電気コネクタ２及び基板３の厚み方向の力の発生を抑制することができる。このため、電気コネクタ２を基板３に固定する構造部分である固定部１５に、電気コネクタ２及び基板３の厚み方向の力が作用することが抑制される。よって、固定部１５に過大な力が作用することが防止され、電気コネクタ２の操作時に、電気コネクタ２が破損、或いは電気コネクタ２が基板３から脱落してしまうことが防止される。
【０１２３】
以上のように、本実施形態によると、電気コネクタ２とそれが実装される基板３とを含む構造の薄型化を図ることができるとともに、基板３に実装された状態の電気コネクタ２の操作時の電気コネクタ２及び基板３の厚み方向の力の発生を抑制することができる、電気コネクタ２を提供することができる。更に、その電気コネクタ２を備える電気コネクタ付基板１を提供することができる。
【０１２４】
また、本実施形態によると、固定部１５と脱落阻止部１６とが一体の部材として設けられるため、更に、構造の簡素化と部品点数の削減とを図ることができる。
【０１２５】
また、本実施形態によると、固定部１５は、ハウジング１２を厚み方向に挟み込んで係合する固定爪部２３によって、ハウジング１２に固定される。このため、簡素な構造でより強固にハウジング１２に一体化された固定部１５を実現することができる。
【０１２６】
また、本実施形態によると、相手側接続部材１００と係合部２５との係合が解除される際、スライダ１４は、ハウジング１２に対して、相手側接続部材１００のハウジング１２への挿入方向と逆向きにスライド移動するように、操作される。このため、スライダ１４の操作の際、スライダ１４を操作するためのスペースが、ハウジング１２に挿入されている相手側接続部材１００によって制約を受けてしまうことが、抑制される。これにより、スライダ１４の操作をより容易に行うことができる。
【０１２７】
また、本実施形態によると、脱落阻止部１６及びスライダ１４がハウジング１２の幅方向の両側に取り付けられている。このため、相手側接続部材１００をハウジング１２に対してより安定して保持することができるとともに、ハウジング１２から相手側接続部材１００を取り外す際の操作も容易に行うことができる。
【０１２８】
また、本実施形態によると、脱落阻止部１６において、第１当接部２６と第２当接部２７とが、ハウジング１２の幅方向と平行な方向でずれて配置される。そして、脱落阻止部１６において、第１当接部２６が、相手側接続部材１００がハウジング１２に挿入される側に配置され、第２当接部２７が、その反対側に配置される。このため、相手側接続部材１００をハウジング１２へ挿入する操作のためのスペースと、スライダ１４の操作のためのスペースとが、互いに制約となることを防止できる構造を、容易に実現できるとともに、第１当接部２６と第２当接部２７とがコンパクトに配置された脱落阻止部１６の構造を実現することができる。
【０１２９】
また、本実施形態によると、脱落阻止部１６のバネ部２４が、ハウジング１２の幅方向と平行な方向に沿って片持ち状に延びる片持ちバネ部分２８を有して構成される。このため、ハウジング１２の幅方向に沿って薄く延びるバネ部２４の構造を容易に実現することができる。これにより、電気コネクタ２の薄型化を図ることができ、更に、電気コネクタ２とそれが実装される基板３とを含む構造の更なる薄型化を図ることができる。
【０１３０】
［変形例］
以上、本発明の一実施の形態について説明したが、本発明は上述の実施の形態に限られるものではなく、特許請求の範囲に記載した限りにおいて様々な変更が可能なものである。例えば、次のように変更して実施してもよい。
【０１３１】
（１）上述した実施形態では、固定部と脱落阻止部とが一体の部材として設けられた形態を例にとって説明したが、この通りでなくてもよい。固定部と脱落阻止部とが互いに別体の部材として設けられた形態が実施されてもよい。固定部と脱落阻止部とが別体の部材として設けられる場合は、脱落阻止部は、ハウジングに対して直接に固定されてもよい。
【０１３２】
（２）前述の実施形態では、バネ部の片持ちバネ部分が、固定部に対して片持ち状に支持された形態を例にとって説明したが、この通りでなくてもよい。バネ部の片持ちバネ部分が、固定部及びハウジングの少なくともいずれかに対して片持ち状に支持された形態であればよい。例えば、バネ部の片持ちバネ部分が、ハウジングに対して片持ち状に支持された形態が実施されてもよい。
【０１３３】
（３）前述の実施形態では、固定部が、ハウジングの一部をハウジングの厚み方向に挟み込んだ状態でハウジングに係合していることで固定部をハウジングに固定する固定爪部を有する形態を例にとって説明したが、この通りでなくてもよい。固定部が、固定爪部以外の形態によってハウジングに固定される形態が実施されてもよい。例えば、ハウジングに圧入されてハウジングに係合していることで固定部をハウジングに固定する圧入部を有する固定部の形態が実施されてもよい。また、弾性変形した後に弾性回復することでハウジングに嵌まり込んで係合することで固定部をハウジングに固定するラッチ爪部を有する固定部の形態が実施されてもよい。
【０１３４】
（４）前述の実施形態では、脱落阻止部及びスライダが、それぞれ２つずつ設けられた形態を例にとって説明したが、この通りでなくてもよい。脱落阻止部及びスライダが、それぞれ１つずつ或いは３つずつ設けられた形態が実施されてもよい。
【０１３５】
（５）前述の実施形態では、相手側接続部材が、フレキシブルケーブル或いはフレキシブル基板として設けられたフレキシブル接続部材として構成された形態を例にとって説明したが、この通りでなくてもよい。相手側接続部材が、端子とその端子を保持するハウジングとを有する相手側電気コネクタとして構成された形態が、実施されてもよい。
【０１３６】
（６）前述の実施形態では、相手側接続部材の被係合部が、幅方向の両端部のそれぞれにて、幅方向の内側に向かって略矩形の形状で凹んだ部分として設けられた形態を例にとって説明したが、この通りでなくてもよい。相手側接続部材の被係合部は、脱落阻止部の係合部が係合可能な形態であればよい。例えば、相手側接続部材の被係合部が、脱落阻止部の係合部が係合する穴として構成された形態が実施されてもよい。また、相手側接続部材の被係合部が、幅方向の両端部のそれぞれにて、幅方向の外側に向かって略矩形の形状で凸状に突出した部分として設けられた形態が実施されてもよい。
【産業上の利用可能性】
【０１３７】
本発明は、基板に実装されるとともに相手側接続部材に電気的に接続される電気コネクタ、及び、その電気コネクタを備える電気コネクタ付基板に関して、広く適用することができる。
【符号の説明】
【０１３８】
１          電気コネクタ付基板
２          電気コネクタ
３          基板
３ａ        切欠き部
３ｂ        実装部
３ｃ        縁部
１１        端子
１２        ハウジング
１４        スライダ
１５        固定部
１６        脱落阻止部
２４        バネ部
２５        係合部
１００      相手側接続部材
【図１】
2018078069.tif 000003
【図２】
2018078069.tif 000004
【図３】
2018078069.tif 000005
【図４】
2018078069.tif 000006
【図５】
2018078069.tif 000007
【図６】
2018078069.tif 000008
【図７】
2018078069.tif 000009
【図８】
2018078069.tif 000010
【図９】
2018078069.tif 000011
【図１０】
2018078069.tif 000012
【図１１】
2018078069.tif 000013
【図１２】
2018078069.tif 000014
【図１３】
2018078069.tif 000015
【図１４】
2018078069.tif 000016
【図１５】
2018078069.tif 000017
【図１６】
2018078069.tif 000018
【図１７】
2018078069.tif 000019
【図１８】
2018078069.tif 000020
【図１９】
2018078069.tif 000021
【図２０】
2018078069.tif 000022
【図２１】
2018078069.tif 000023